(57)【要約】【課題】  ２本の吊下部材で器具本体を吊しながら、一方の吊下部材が破断しても器具本体の落下を防止できる照明器具を提供する。【解決手段】  光源１１を収容する長尺の器具本体２０の長手方向両端部を、一対の紐状の吊下部材３０で天井１２から吊り下げる。器具本体２０には、一方の吊下部材３０Ａが破断したときに、他方の吊下部材３０Ｂに結合される複数本の紐状の落下防止部材３２を設けたので、一方の吊下部材３０Ａが破断しても、器具本体２０の落下を防止できる。【選択図】  図５
2012221742.tif 000002
【特許請求の範囲】
【請求項１】
長尺の器具本体と、
前記器具本体に収容され下方へ光を照射する光源と、
前記器具本体の長手方向両端部に設けられ、一端が天井に取り付けられ、他端が前記器具本体に取り付けられる紐状の吊下部材と、を備え、
前記吊下部材の一方が破断したときに、前記吊下部材の他方に結合される複数本の紐状の落下防止部材で前記器具本体を支持する照明器具。
【請求項２】
請求項１に記載の照明器具において、
前記落下防止部材は、前記吊下部材が破断する前には前記器具本体に収容されている照明器具。
【請求項３】
請求項１または請求項２に記載の照明器具において、
前記落下防止部材が絡まるのを防止する絡まり防止手段を有する照明器具。
【請求項４】
請求項１ないし請求項３のうちのいずれか１項に記載の照明器具において、
前記吊下部材の下端部に前記器具本体の幅方向と平行となる棒部材を設け、
前記器具本体の長手方向両端部付近には、前記棒部材の両端を支持する一対の支持溝を各々設け、
前記支持溝が、下方に凸状で前記器具本体の長手方向外側端部が上方に開口しており、
前記吊下部材の一方が破断して前記器具本体が傾くと、他方の前記吊下部材の前記棒部材が前記支持溝から脱落して前記落下防止部材に支持され、前記落下防止部材が前記器具本体を支持する照明器具。
【発明の詳細な説明】
【技術分野】
【０００１】
本発明は、長尺の器具本体を有し、天井から吊下部材で吊り下げて下方を照明する照明器具に関するものである。
【背景技術】
【０００２】
従来より、長尺の器具本体を有する照明器具では、天井から吊下部材で吊り下げて取り付けることが行われている（例えば、特許文献１参照）。
図１１に示すように、特許文献１に記載の照明器具１００では、天井面１０１に沿って天井レール１０２が取付けられている。天井レール１０２にはワイヤ１０３が走行自在に支持されており、ワイヤ１０３の下端に器具本体１０４を吊り下げる。
器具本体１０４は、上方Ａに開口すると共に内面に反射面１０５が形成され、且つ内部に間接照明用のランプ１０６が収納される型材１０７を有する。型材１０７の吊り下げ位置は、天井レール１０２の長さ方向Ｂに沿って移動調整自在である。
【先行技術文献】
【特許文献】
【０００３】
【特許文献１】特開平８−１７１８０９号公報（第１図）
【発明の概要】
【発明が解決しようとする課題】
【０００４】
しかしながら、前述したような長尺の器具本体１０４を、吊下部材である２本のワイヤ１０３により吊り下げる場合、１本のワイヤ１０３が破断すると、他方のワイヤ１０３のみで吊り下げられるので、器具本体１０４が落下して危険である。
また、落下防止部材としてさらに１本のワイヤ１０３を加えて、３本のワイヤ１０３で吊すことも可能であるが、施工性および外観の点で好ましくないという問題があった。
【０００５】
本発明は、従来の問題を解決するためになされたもので、２本の吊下部材で器具本体を吊しながら、一方の吊下部材が破断しても器具本体の落下を防止できる照明器具を提供することを目的とする。
【課題を解決するための手段】
【０００６】
本発明の照明器具は、長尺の器具本体と、前記器具本体に収容され下方へ光を照射する光源と、前記器具本体の長手方向両端部に設けられ、一端が天井に取り付けられ、他端が前記器具本体に取り付けられる紐状の吊下部材と、を備え、前記吊下部材の一方が破断したときに、前記吊下部材の他方に結合される複数本の紐状の落下防止部材で前記器具本体を支持するものである。
【０００７】
また、本発明の照明器具では、前記落下防止部材は、前記吊下部材が破断する前には前記器具本体に収容されているものである。
【０００８】
また、本発明の照明器具は、前記落下防止部材が絡まるのを防止する絡まり防止手段を有するものである。
【０００９】
さらに、本発明の照明器具は、前記吊下部材の下端部に前記器具本体の幅方向と平行となる棒部材を設け、前記器具本体の長手方向両端部付近には、前記棒部材の両端を支持する一対の支持溝を各々設け、前記支持溝が、下方に凸状で前記器具本体の長手方向外側端部が上方に開口しており、前記吊下部材の一方が破断して前記器具本体が傾くと、他方の前記吊下部材の前記棒部材が前記支持溝から脱落して前記落下防止部材に支持され、前記落下防止部材が前記器具本体を支持するものである。
【発明の効果】
【００１０】
本発明は、光源を収容する長尺の器具本体の長手方向両端部を、２本の紐状の吊下部材で天井から吊り下げる。器具本体には、一方の吊下部材が破断したときに、他方の吊下部材に結合される複数本の紐状の落下防止部材が設けられているので、一方の吊下部材が破断しても、器具本体の落下を防止できるという効果を有する照明器具を提供できる。
【図面の簡単な説明】
【００１１】
【図１】（Ａ）は本発明に係る第１実施形態の照明器具の（Ｂ）中Ａ−Ａ位置の断面図であり、（Ｂ）は（Ａ）中Ｂ方向から見た平面図であり，（Ｃ）は（Ａ）中Ｃ−Ｃ位置の拡大断面図
【図２】天板を取り除いた器具本体の斜視図
【図３】支持溝の形状を示す正面図
【図４】（Ａ）は図１（Ｂ）中ＩＶ位置の拡大図であり、（Ｂ）は（Ａ）中Ｂ−Ｂ位置の断面図
【図５】（Ａ）ないし（Ｄ）は一方の吊下部材が破断したときの落下防止部材の作用を示す説明図
【図６】一方の吊下部材が破断した後に落下防止部材により吊り下げられた照明器具の斜視図
【図７】（Ａ）は本発明に係る第２実施形態の照明器具の平面図であり、（Ｂ）は（Ａ）中Ｂ−Ｂ位置の断面図
【図８】第２実施形態の照明器具において一方の吊下部材が破断した後に落下防止部材により吊り下げられた状態の斜視図
【図９】（Ａ）は本発明に係る第３実施形態の照明器具の平面図であり、（Ｂ）は（Ａ）中Ｂ−Ｂ位置の断面図
【図１０】本発明に係る第３実施形態の照明器具の斜視図
【図１１】従来の吊下型の照明器具の斜視図
【発明を実施するための形態】
【００１２】
（第１実施形態）
以下、本発明に係る第１実施形態の照明器具について、図面を用いて説明する。
図１に示すように、本発明に係る第１実施形態の照明器具１０は、器具本体２０と、器具本体２０に収容され下方へ光を照射する光源１１と、器具本体２０を天井１２から吊り下げる紐状の一対の吊下部材３０Ａ、３０Ｂを有する。吊下部材３０Ａ、３０Ｂの下端には棒部材３１が取り付けられており、棒部材３１を介して器具本体２０を支持する。
なお、以下の説明において、吊下部材を総称する際には、「吊下部材３０」で示す。
また、一方の吊下部材３０に沿って、商用電源から器具本体２０内部に電力を供給する電源線１３が配線されている。
【００１３】
器具本体２０は、天板２３および左右の両側板２１、２１により下方が開口した長尺の箱状を呈しており、長手方向両端部において吊下部材３０Ａ、３０Ｂにより天井１２から吊り下げられる。
図１（Ｃ）および図２に示すように、器具本体２０の長手方向両端部付近における左右両側板２１の内面２１１には、吊下部材３０の下端部に取り付けられている棒部材３１を支持する引っ掛け金具２４が取り付けられている。引っ掛け金具２４は、側板２１の内面２１１に上下方向に取り付けるための一対の取付部２４１、２４１、取付部２４１から器具本体２０内側に突出する一対の脚部２４２、２４２、脚部２４２により支持される支持部２４３を有する。
従って、支持部２４３は、側板２１の内面２１１との間に一定の間隔２４４を有し、内面２１１と平行に配設される。
【００１４】
図２および図３に示すように、支持部２４３には支持溝２２が設けられており、左右側板２１、２１の引っ掛け金具２４の支持溝２２は、吊下部材３０の下端部に取り付けられている棒部材３１の両端部を各々係止する。
なお、器具本体２０の長手方向両端に配置される引っ掛け金具２４、２４は、支持溝２２の形状が器具本体２０の中心に対して対称な形状となるように配設される。
【００１５】
図４にも示すように、支持溝２２は、棒部材３１の外径よりも大きい幅で、下方に凸状で全体略Ｕ字形状をしている。支持溝２２において器具本体２０の長手方向両端側の一端は、支持部２４３の上端において上方に開口（開口部２２１）しており、他端２２３は開口していない。なお、支持溝２２の最下点２２２は、他端２２３よりも低く位置する。
通常時においては、吊下部材３０は支持溝２２の他端２２３の略真上に位置し、真上に伸びて天井１２に固定される。これにより、棒部材３１は、支持溝２２の他端２２３に位置し、支持溝２２から脱落することなく支持される。
【００１６】
図１（Ｃ）および図２に示すように、吊下部材３０は棒部材３１の中心に連結されており、無負荷状態では、棒部材３１は吊下部材３０の下端において水平に支持される。棒部材３１の長さは、器具本体２０の側板２１の内面２１１、２１１間の幅より小さく、かつ、棒部材３１の一端が側板２１の内面２１１に当接した状態で、棒部材３１の他端が支持部２４３の支持溝２２から脱落しない長さに設定する。
これにより、棒部材３１は、支持溝２２の開口部２２１から脱落する場合を除いて、脱落するのを防止できる。
なお、棒部材３１の両端に、支持溝２２の幅よりも大きな外径を有する鍔部材を設けて、引っ掛け金具２４と側板２１の内面２１１との間に配設するのが望ましい。これにより、一層確実に棒部材３１が支持溝２２から脱落するのを防止できる。
【００１７】
図１（Ｂ）に示すように、引っ掛け金具２４における支持溝２２の開口部２２１に対応する器具本体２０の天板２３には、棒部材３１が通過可能な棒部材用開口部２３１が、器具本体２０の幅方向に設けられている。また、棒部材３１の中心に取り付けられている吊下部材３０が天板２３と干渉しないように、吊下部材用開口部２３２が、棒部材用開口部２３１に連続して設けられている（図４参照）。
従って、棒部材３１を天板２３の開口部２３１から挿入して、引っ掛け金具２４の支持部２４３の支持溝２２の他端２２３に挿入し、吊下部材３０により器具本体２０を吊り下げることができる。
【００１８】
図１（Ａ）および図２に示すように、器具本体２０には、吊下部材３０の一方（例えば、吊下部材３０Ａ）が破断したときに、吊下部材３０の他方（例えば、吊下部材３０Ｂ）に結合される複数本（ここでは２本）の紐状の落下防止部材３２が設けられている。
なお、落下防止部材３２は、棒部材３１の両端に配置されているので、棒部材３１の端部に落下防止部材３２が外れないような鍔部材等のストッパを設けるのが望ましい。
【００１９】
落下防止部材３２は、使用されない通常時において、器具本体２０の内部に収容されるのが望ましい。
このため、図１（Ｂ）および図４（Ａ）に示すように、天板２３には、両端の棒部材用開口部２３１、２３１間に、長手方向に沿って一対のスリット２３３、２３３を設ける。このスリット２３３は、落下防止部材３２が器具本体２０の内部に収容されている通常時は、パッキン等で落下防止部材３２を引き出し可能に蓋するのが望ましい。
【００２０】
落下防止部材３２は、器具本体２０の長さに比して十分長く、端部が器具本体２０に固定されるとともに、途中部分が一対の棒部材３１、３１の上に配策されている。
この際、落下防止部材３２が絡まるのを防止する絡まり防止手段３３を設けるのが望ましい。例えば図１（Ａ）および図２に示すように、落下防止部材３２をらせん状のスプリングばねに沿って巻いて（らせん状部分３２２）収容することができる。
これにより、使用されない通常時には、落下防止部材３２はらせん状に収容されるが、引き出す際には、らせん状部分が伸びるので、落下防止部材３２は伸びる。
【００２１】
次に、一方の吊下部材３０（ここでは、吊下部材３０Ａについて例示する。）が破断した際の、落下防止部材３２の作用について説明する。
図１に示すように、通常時においては、器具本体２０は長手方向両端部付近に取り付けられている２本の吊下部材３０により、水平に吊り下げられている。
この状態から、一方の吊下部材３０Ａが破断すると、図５（Ａ）に示すように、１本の吊下部材３０Ｂによって器具本体２０が吊り下げられるため、器具本体２０は矢印Ａ方向に大きく回動する。これに伴って、器具本体２０に取り付けられている引っ掛け金具２４の支持溝２２も回動する。
【００２２】
器具本体２０が一定の角度以上下方へ回動すると、図５（Ｂ）に示すように、吊下部材３０Ｂの下端に取り付けられている棒部材３１が、支持溝２２の最下点２２２を通り過ぎて上方へ移動する（図５（Ｂ）中矢印Ｂ）。
そして、棒部材３１は、支持溝２２の開口部２２１および天板２３の棒部材用開口部２３１から器具本体２０の外部に脱落する。
【００２３】
図５（Ｃ）に示すように、棒部材３１は、器具本体２０の支持溝２２から脱落する際に、棒部材３１に引っ掛けられている落下防止部材３２を器具本体２０から引っ張り出す。この際、落下防止部材３２は、器具本体２０の天板２３に設けられているスリット２３３（図１および図４参照）から引っ張り出す。
そして、図５（Ｄ）に示すように、棒部材３１が落下防止部材３２に沿って中央側へ移動し、吊下部材３０Ｂの棒部材３１を中心として、落下防止部材３２により器具本体２０を吊り下げる。これに伴い、器具本体２０は、吊下部材３０Ｂの真下で水平状態となる（図６参照）。
【００２４】
以上、説明した本発明に係る第１実施形態の照明器具１０によれば、光源１１を収容する長尺の器具本体２０の長手方向両端部を、一対の紐状の吊下部材３０で天井１２から吊り下げる。器具本体２０には、一方の吊下部材３０Ａが破断したときに、他方の吊下部材３０Ｂに結合される複数本の紐状の落下防止部材３２が設けたので、一方の吊下部材３０Ａが破断しても、器具本体２０の落下を防止できる。
【００２５】
また、落下防止部材３２は、吊下部材３０Ａが破断する前には器具本体２０に収容されているので、外観を損ねない。
【００２６】
また、落下防止部材３２には、絡まり防止手段３３としてらせん状部分３２２が設けられているので、吊下部材３０Ａが破断して落下防止部材３２が、器具本体２０の外に引き出されて器具本体２０を支持する際に絡まるのを防止できる。
【００２７】
さらに、常時は、吊下部材３０の下端部に取り付けられている器具本体２０の幅方向と平行な棒部材３１の両端が、器具本体２０の一対の支持溝２２を支持する。吊下部材３０および支持溝２２は、器具本体２０の長手方向両端部付近に設けられているので、器具本体２０は２本の吊下部材３０Ａ、３０Ｂによって、略水平に支持される。
【００２８】
すなわち、支持溝２２は、下方に凸状で、器具本体２０の長手方向外側端部が上方に開口（開口部２２１）しており、長手方向内側端部（他端２２３）は開口していない。このため、棒部材３１は長手方向内側端部を係止することにより、器具本体２０を吊り下げることができる。
【００２９】
また、一方の吊下部材３０Ａが破断すると、他方の吊下部材３０Ｂを中心として器具本体２０は下方へ回動する。このため、他方の吊下部材３０Ｂの棒部材３１は、器具本体２０の支持溝２２に沿って移動し、開口部２２１から支持溝２２の外へ脱落する。このとき、棒部材３１には落下防止部材３２が引っ掛かっており、棒部材３１は、落下防止部材３２を引き出しながら長手方向中央側へ移動する。これにより、器具本体２０を、落下防止部材３２および他方の吊下部材３０Ｂの棒部材３１により吊り下げて、略水平に支持することができる。
【００３０】
（第２実施形態）
次に、本発明に係る第２実施形態の照明器具について説明する。
なお、前述した第１実施形態にかかる照明器具１０と共通する部位には同じ符号を付して、重複する説明を省略することとする。
図７に示すように、第２実施形態の照明器具１０Ｂでは、落下防止部材３２Ｂを器具本体２０の天板２３の上面に収容しておく。このとき、２本の落下防止部材３２ＢをＸ字形状に交差して配策し、両棒部材３１の吊下部材３０Ａ、３０Ｂが２本の落下防止部材３２Ｂの間に位置するように配置する。
これにより、一方の吊下部材３０Ａが破断した場合には、図８に示すように、器具本体２０は、Ｘ字形状の落下防止部材３２Ｂにより吊り下げられる。
【００３１】
以上、説明した第２実施形態の照明器具１０Ｂによれば、前述した第１実施形態の照明器具１０と同様の作用効果を得ることができる。
さらに、落下防止部材３２Ｂを器具本体２０の天板２３の上に配策したので、天板２３にスリット２３３を設ける必要がなく、製作が簡単になる。
【００３２】
また、２本の落下防止部材３２ＢをＸ字形状に配策し、吊下部材３０が２本の落下防止部材３２Ｂの内側（図７（Ａ）参照）に位置するので、落下防止部材３２Ｂにより器具本体２０を吊り下げる際に、落下防止部材３２Ｂが棒部材３１から脱落するのを防止できる。
【００３３】
（第３実施形態）
次に、本発明に係る第３実施形態の照明器具について説明する。
なお、前述した第１実施形態にかかる照明器具１０および第２実施形態にかかる照明器具１０Ｂと共通する部位には同じ符号を付して、重複する説明を省略することとする。
図９および図１０に示すように、第３実施形態の照明器具１０Ｃでは、落下防止部材３２Ｃに絡まり防止手段３３としてロール３４を用いた。
【００３４】
以上、説明した第３実施形態の照明器具１０Ｃによれば、前述した第１実施形態の照明器具１０と同様の作用効果を得ることができる。
【００３５】
なお、本発明の照明器具は、前述した各実施形態に限定されるものでなく、適宜な変形，改良等が可能である。
【符号の説明】
【００３６】
１０、１０Ｂ、１０Ｃ  照明器具
１１  光源
１２  天井
２０  器具本体
２２  支持溝
２２１  開口部
３０  吊下部材
３０Ａ  吊下部材の一方
３０Ｂ  吊下部材の他方
３１  棒部材
３２  落下防止部材
３２２  らせん状部分（絡まり防止手段）
３３  絡まり防止手段
３４  ロール（絡まり防止手段）
【図１】
2012221742.tif 000003
【図２】
2012221742.tif 000004
【図３】
2012221742.tif 000005
【図４】
2012221742.tif 000006
【図５】
2012221742.tif 000007
【図６】
2012221742.tif 000008
【図７】
2012221742.tif 000009
【図８】
2012221742.tif 000010
【図９】
2012221742.tif 000011
【図１０】
2012221742.tif 000012
【図１１】
2012221742.tif 000013